(57)【要約】【課題】  家庭で使用されるレンジフードにおいて、本体薄形化のため風量―静圧特性が悪化し風量に対する騒音が上昇するという課題に対し、ファン吹出部と吐出口の間に静圧回復させるチャンバー空間を設置することにより風量―静圧特性を向上させ、風量に対する騒音を低下させることを目的とする。【解決手段】  吸込口１と吹出部２と外郭１０３内部の仕切板４によってファンモータ１０２と仕切られた圧力チャンバー室３を設け、吹出部２と圧力チャンバー室３とを連通する開口部５を配設し、仕切板４を介し圧力チャンバー室３をモータ軸方向上部に設置した構成とし、吸込口１より空気が吸込まれ、動圧が大きい状態で吹出部２から開口部５を介し圧力チャンバー室３へ流入し、圧力チャンバー室３内で動圧ロスを低減、且つ、整流し排気することにより、風量―静圧特性を向上させ、風量に対する騒音を低下させる。【選択図】  図２
2005090788.tif 000002
【特許請求の範囲】
【請求項１】
吸込口と、吐出口と、前記吸込口から吸込んだ空気を前記吐出口へ吐出させるためのファンとモータで形成された送風手段で構成されたレンジフードにおいて、前記送風手段の後段の開口部によって連通された圧力チャンバー室を有し、且つ前記圧力チャンバー室が前記モータの軸方向に有することを特徴とするレンジフード。
【請求項２】
開口部が複数形成されることを特徴とする請求項１記載のレンジフード。
【請求項３】
圧力チャンバー室からの空気を、風路仕切で分割して吐出口へ流入することを特徴とする請求項１または２記載のレンジフード。
【請求項４】
風路仕切を複数形成し、吐出口に流入させる空気を複数分割させることを特徴とする請求項３記載のレンジフード。
【請求項５】
２箇所以上の吹出口を有するケーシングを備えた遠心ファンで形成することを特徴とする請求項１乃至４のいずれかに記載のレンジフード。
【請求項６】
ケーシングを有しない遠心ファンで形成することを特徴とする請求項１乃至４のいずれかに記載のレンジフード。
【請求項７】
遠心ファンの側板の傾斜角と同角度となるようにモータの軸方向をレンジフード本体の垂直方向に対し傾斜させ、レンジフード本体に対し送風手段を傾斜させたことを特徴とする請求項６記載のレンジフード。
【請求項８】
送風手段が複数構成されることを特徴とする請求項１乃至７のいずれかに記載のレンジフード。
【請求項９】
圧力チャンバー室から吸込口へ空気が循環されるように、循環風路と循環された空気の出口となる循環出口部を前記吸込口に形成したことを特徴とする請求項１記載のレンジフード。
【請求項１０】
循環出口部と循環風路が複数で構成されたことを特徴とする請求項９記載のレンジフード。
【請求項１１】
循環出口部から吹き出す空気の方向ベクトルが遠心ファンの回転方向と同方向に吹き出すように形成されたことを特徴とする請求項９または１０記載のレンジフード。
【発明の詳細な説明】
【技術分野】
【０００１】
本発明は、調理時に発生する廃ガス、油煙、臭気などを確実に屋外へ排出する吊戸棚の下方に取付け可能なレンジフードに関する。
【背景技術】
【０００２】
従来、この種のレンジフードは、住宅の梁寸法や天井高さ寸法等の制約の中で排気ダクトを設置するために本体の薄形化や調理時に発生する廃ガス、油煙、臭気の捕集効率の向上が求められている。このような課題に対し、種々考案されたものが知られている。（例えば、特許文献１参照）。
【０００３】
以下、そのレンジフードの構成について図１８を参照しながら説明する。
【０００４】
図に示すように、ファンモータ１０２と外郭１０３とアダプタ１０４と整流板１０５で構成された本体１０１は、本体１０１の側部下方に傾斜面１０６を形成した側面板１０７を設け、本体１０１の下面に沿う形状の水平部１０８と、傾斜面１０６に沿う形状の傾斜部１０９を設け、本体１０１の幅より狭く前方と側方に吸気口１１０が形成され上面には本体１０１との間に吸気流路１１１が形成される整流板１０５を設け、側面板１０７の傾斜面１０６の高さ位置より本体１０１側寄りに整流板１０５の傾斜部１０９を配設した構成となっている。
【０００５】
以上のように構成されたレンジフードの動作について説明する。
【０００６】
本体１０１の後方側より前方側の吸気口１１０の吸い込み風速が大きくなり、整流板１０５に沿い上昇する油煙を効率良く捕集することができる。
【特許文献１】特開２００１−３０４６４２号公報
【発明の開示】
【発明が解決しようとする課題】
【０００７】
このような従来のレンジフードでは、本体薄形化のためファン吹出部と吐出口であるアダプタが近傍にあるために静圧回復が十分に行われないまま風速が速い状態のため、風量―静圧特性が悪化し風量に対する騒音が上昇するという課題があり、風量―静圧特性の向上および風量に対する騒音を低下させることが要求されている。
【０００８】
本発明は、このような従来の課題を解決するものであり、ファンのモータ軸方向幅を小さくし、且つファンの径を大きくし、ファン吹出部と吐出口の間に静圧回復させるチャンバー空間を設置することにより風量―静圧特性が向上することができ、また、風量に対する騒音を低下させるレンジフードを提供することを目的としている。
【０００９】
また、調理時に発生する廃ガス、油煙、臭気の捕集効率は保ちつつ、清掃面積を小さくし清掃性の向上させる課題があり、整流板レスで捕集効率を確保することが要求されている。
【００１０】
本発明は、このような従来の課題を解決するものであり、レンジフード本体の垂直厚みを同じにしながら捕集空間を確保することにより、整流板レスの状態でも捕集効率を確保し、清掃面積を小さくするレンジフードを提供することを目的としている。
【００１１】
また、低風量時において、調理時に発生する廃ガス、油煙、臭気の捕集効率を向上させる課題があり、風量に対する捕集効率を向上させることが要求されている。
【００１２】
本発明は、このような従来の課題を解決するものであり、捕集空間を確保しながら圧力チャンバー室から吸込口への循環流を流すことにより吸込口へ誘導する流れが発生するため、同風量時の捕集効率を向上させるレンジフードを提供することを目的としている。
【課題を解決するための手段】
【００１３】
上記の問題点を解決するために本発明のレンジフードは、請求項１記載の通り、ファンとモータで形成された送風手段の後段に開口部、開口部の後段にモータの軸方向と同方向になるように圧力チャンバー室を配してなり、送風手段で全圧上昇した後に圧力チャンバー室で静圧回復と整流させて吐出口から排気させることを特徴とする。
【００１４】
また、請求項２記載のレンジフードは、この開口部を複数配してなり、開口部を通過する空気の圧力損失を更に低下させることを特徴とする。
【００１５】
また、請求項３記載のレンジフードは、圧力チャンバー室内の吐出口近傍に風路を分割するために風路仕切を配してなり、圧力チャンバー室内での動圧ロスを低減させることで静圧回復させることを特徴とする。
【００１６】
また、請求項４記載のレンジフードは、風路仕切を複数配してなり、圧力チャンバー室内の動圧ロスとアダプタ内の動圧ロスを低下させることで静圧回復を増大させることを特徴とする。
【００１７】
また、請求項５記載のレンジフードは、２箇所以上の吹出口を有するケーシングを備えた遠心ファンを配してなり、モータの軸方向に流入した空気をファン半径方向に流出させ、送風手段から圧力チャンバー室のモータ軸方向距離を同じとしながらも、風路距離を長くすることにより動圧ロスを低減させることで静圧回復させることを特徴とする。
【００１８】
また、請求項６記載のレンジフードでは、ケーシングを有しない遠心ファンを配してなり、送風手段内の風速低下により、送風手段内での動圧ロスを低減させることで静圧回復させることを特徴とする。
【００１９】
また、請求項７記載のレンジフードでは、遠心ファンの側板の傾斜角と同角度になるようにレンジフード本体の垂直方向に対しモータ軸方向を傾斜させた送風手段を配してなり、レンジフード本体の垂直厚みを同じにしながら、圧力チャンバー室の吐出口空間が広がることにより動圧ロスを低減させることで静圧回復を増大させることと送風手段の捕集空間の増大により捕集効率を確保し、清掃面積を小さくすることを特徴とする。
【００２０】
また、請求項８記載のレンジフードでは、同じレンジフード本体に対し、個々の送風手段を小さくし且つ送風手段を複数個配してなり、レンジフード本体の垂直厚みを同じにしながら送風手段の厚みを小さくすることが出来るため、送風手段の捕集空間の増大により捕集効率を確保し、清掃面積を小さくすることを特徴とする。
【００２１】
また、請求項９記載のレンジフードでは、圧力チャンバー室から吸込口へ空気が循環するように循環風路と循環空気の出口となる循環出口部を吸込口に配してなり、汚染空気が送風手段の吸込口に誘引させることで捕集効率をあげることを特徴とする。
【００２２】
また、請求項１０記載のレンジフードでは、圧力チャンバー室から吸込口へ空気が循環するように循環風路と循環空気の出口となる循環出口部を複数個吸込口に配してなり、汚染空気が送風手段の吸込口により誘引させ易くすることで捕集効率をあげることを特徴とする。
【００２３】
また、請求項１１記載のレンジフードでは、循環出口部から吹き出す循環空気の方向ベクトルをファンの回転方向と同方向に吹き出すように循環出口部を配してなり、吸込口での誘引効果を高めることで捕集効率をあげることを特徴とする。
【発明の効果】
【００２４】
本発明によれば風量―静圧特性の向上および風量に対する騒音を低下させるという効果のあるレンジフードを提供できる。
【００２５】
また、整流板レスの状態でも捕集効率を確保しながら清掃面積を小さくすることができるレンジフードを提供できる。
【００２６】
また、圧力チャンバー室から吸込口への循環空気による誘引により捕集効率をあげることができるレンジフードを提供できる。
【発明を実施するための最良の形態】
【００２７】
本発明の請求項１記載の発明は、吸込口と、吐出口と、前記吸込口から吸込んだ空気を前記吐出口へ吐出させるためのファンとモータで形成された送風手段で構成されたレンジフードにおいて、前記送風手段の後段の開口部によって連通された圧力チャンバー室を有し、且つ前記圧力チャンバー室が前記モータの軸方向に有することを特徴としたものであり、送風手段で全圧上昇した後に圧力チャンバー室で静圧回復と整流させて吐出口から排気させるという作用を有する。
【００２８】
また、開口部が複数形成されることを特徴としたものであり、開口部を通過する空気の圧力損失を更に低下させることができる。
【００２９】
また、圧力チャンバー室からの空気を、風路仕切で分割して吐出口へ流入することを特徴ととしたものであり、圧力チャンバー室内での動圧ロスを低減させることで静圧回復させるという作用を有する。
【００３０】
また、風路仕切を複数形成し、吐出口に流入させる空気を複数分割させることを特徴としたものであり、圧力チャンバー室内の動圧ロスとアダプタ内の動圧ロスを低下させることで静圧回復を増大させることができる。
【００３１】
また、２箇所以上の吹出口を有するケーシングを備えた遠心ファンで形成することを特徴としたものであり、モータの軸方向に流入した空気をファン半径方向に流出させ、送風手段から圧力チャンバー室のモータ軸方向距離を同じとしながらも、風路距離を長くすることにより動圧ロスを低減させることで静圧回復させるという作用を有する。
【００３２】
また、ケーシングを有しない遠心ファンで形成することを特徴としたものであり、送風手段内の風速低下により、送風手段内での動圧ロスを低減させることで静圧回復させることができる。
【００３３】
また、遠心ファンの側板の傾斜角と同角度となるようにモータの軸方向をレンジフード本体の垂直方向に対し傾斜させ、レンジフード本体に対し送風手段を傾斜させたことを特徴としたものであり、レンジフード本体の垂直厚みを同じにしながら、圧力チャンバー室の吐出口空間が広がることにより動圧ロスを低減させることで静圧回復を増大させることと送風手段の捕集空間の増大により整流板付と同等の捕集効率を確保しながらも、清掃面積を小さくするという作用を有する。
【００３４】
また、送風手段が複数構成されることを特徴としたものであり、レンジフード本体の垂直厚みを同じにしながら送風手段の厚みを小さくすることが出来るため、送風手段の捕集空間の増大により整流板付と同等の捕集効率を確保しながらも、清掃面積を小さくすることができる。
【００３５】
また、圧力チャンバー室から吸込口へ空気が循環されるように、循環風路と循環された空気の出口となる循環出口部を前記吸込口に形成したことを特徴としたものであり、汚染空気が送風手段の吸込口に誘引させることで捕集効率をあげるという作用を有する。
【００３６】
また、循環出口部と循環風路が複数で構成されたことを特徴としたものであり、汚染空気が送風手段の吸込口に誘引させることで捕集効率をあげることができる。
【００３７】
また、循環出口部から吹き出す空気の方向ベクトルが遠心ファンの回転方向と同方向に吹き出すように形成されたことを特徴としたものであり、吸込口での誘引効果を高めることで捕集効率をあげるという作用を有する。
【００３８】
以下、本発明の実施の形態について図面を参照しながら説明する。なお、従来例と同一の部分については、同一番号を付し詳細な説明は省略する。
【００３９】
（実施の形態１）
まず、本発明におけるレンジフードの概略構成について説明する。図１乃至図３に示すように、本体１０１は、送風手段であるファンモータ１０２と外郭１０３とアダプタ１０４と、ファンモータ１０２によって空気を吸込む吸込口１と、ファンモータ１０２で昇圧した空気を吐出する吹出部２と、ファンモータ１０２で昇圧した空気の内、動圧成分を静圧成分に変換する圧力チャンバー室３を設け、圧力チャンバー室３は、外郭１０３内部の仕切板４によってファンモータ１０２と仕切られ、吹出部２と圧力チャンバー室３とを連通する開口部５を配設し、且つ、ファンモータ１０２上部の仕切板４を介し圧力チャンバー室３をファンモータ１０２の軸方向上部に設置した構成となっている。
【００４０】
外郭１０３は、主として亜鉛鋼板などの板金製で構成され、天面には、排気用の穴と排気ダクトを取り付けるためのアダプタ１０４を螺子等で固定し、下面には、ファンモータ１０２によって空気を吸込む吸込口１の穴があいている。ファンモータ１０２は主として亜鉛鋼板などの板金製で構成された取付台６に螺子等で固定され、取付台６は螺子または溶接等で外郭１０３の内側に固定されている。仕切板４は、主として亜鉛鋼板などの板金製で構成され、取付台６と外郭１０３の内側に螺子または溶接等で固定されている。
【００４１】
以上のように構成されたレンジフードの動作について説明する。
【００４２】
ファンモータ１０２が動作すると吸込口１の全圧が下がり、吸込口１より空気が吸込まれる。吸込まれた空気はファンモータ１０２によって全圧昇圧され、動圧が大きい状態で吹出部２から開口部５を介し圧力チャンバー室３へ流入する。圧力チャンバー室３内において、開口部５より断面積が大きいため通過風速が遅くなり、動圧成分が静圧成分へと変換することにより動圧ロスが低減、且つ、整流されてアダプタ１０４より排気される。
【００４３】
また、開口部５を複数箇所設けることにより、開口部５を通過する空気の圧力損失を更に低下させることができる。
【００４４】
また、図４において、ファンモータ１０２を２箇所以上の吹出口を有するケーシング７を備えた遠心ファン８で形成することにより、モータの軸方向に流入した空気をファン半径方向に流出させ、ファンモータ１０２から圧力チャンバー室３のモータ軸方向距離を同じとしながらも、風路距離を長くすることにより動圧ロスを低減させることで静圧回復を増大させることができる。
【００４５】
上記構成において、ファンモータ１０２の軸方向上部に設置した圧力チャンバー室３は、静圧回復と整流させて吐出口から排気させることにより、内部圧力損失を低下させ、風量―静圧特性が向上することができ、また、風量に対する騒音を低下させるレンジフードを提供することができる。
【００４６】
（実施の形態２）
図５および図６に示すように、本体１０１は、送風手段であるファンモータ１０２と外郭１０３とアダプタ１０４と、ファンモータ１０２によって空気を吸込む吸込口１と、ファンモータ１０２で昇圧した空気を吐出する吹出部２と、ファンモータ１０２で全圧昇圧した空気の内、動圧成分を静圧成分に変換する圧力チャンバー室３を設け、圧力チャンバー室３は、外郭１０３内部の仕切板４によってファンモータ１０２と仕切られ、吹出部２と圧力チャンバー室３とを連通する開口部５を配設し、且つ、ファンモータ１０２上部の仕切板４を介し圧力チャンバー室３をファンモータ１０２の軸方向上部に設置し、圧力チャンバー室３からアダプタ１０４に流入する部分（排気用の穴）を分割させる風路仕切９を設置した構成となっている。風路仕切９は、主として亜鉛鋼板などの板金製で構成され、仕切板４と取付台６と外郭１０３の内側に螺子または溶接等で固定されている。
【００４７】
以上のように構成されたレンジフードの動作について説明する。
【００４８】
ファンモータ１０２が動作すると吸込口１の全圧が下がり、吸込口１より空気が吸込まれる。吸込まれた空気はファンモータ１０２によって全圧昇圧され、動圧が大きい状態で吹出部２から開口部５を介し圧力チャンバー室３へ流入する。圧力チャンバー室３内において、開口部５より断面積が大きいため通過風速が遅くなり、動圧成分が静圧成分へと変換することにより動圧ロスが低減、且つ、整流される。整流された空気は、風路仕切９によりアダプタ１０４吹き出し方向へ流れの向きを変えた状態で合流し、アダプタ１０４より排気される。
【００４９】
また、図７および図８に示すように、風路仕切９を複数箇所設けることにより、各風路仕切９で仕切られた空間を流れる風速を均一化しアダプタ１０４で合流時の空気の動圧ロスを更に低下させることができる。
【００５０】
上記構成において、ファンモータ１０２の軸方向上部に設置した圧力チャンバー室３と風路仕切９は、静圧回復と動圧ロスを減少し整流させて吐出口から排気させることにより、内部圧力損失を低下させ、風量―静圧特性が向上することができ、また、風量に対する騒音を低下させるレンジフードを提供することができる。
【００５１】
（実施の形態３）
図９および図１０に示すように、本体１０１は、側板１０が傾斜した遠心ファン８と側板１０の傾斜角（ａ）と同角度となるように軸方向を傾斜（ｂ）させたファンモータ１０２と外郭１０３とアダプタ１０４と、ファン１０の側板１０の傾斜と同角度となるように傾斜（ｃ）させた吸込口１と、ファンモータ１０２で昇圧した空気を吐出する吹出部２と、ファンモータ１０２で全圧昇圧した空気の内、動圧成分を静圧成分に変換する圧力チャンバー室３を設け、圧力チャンバー室３は、外郭１０３内部のファン１０の側板１０の傾斜と同角度となるように傾斜（ｄ）させた仕切板４によってファンモータ１０２と仕切られ、吹出部２と圧力チャンバー室３とを連通する開口部５を配設し、且つ、ファンモータ１０２上部の仕切板４を介し圧力チャンバー室３をファンモータ１０２の軸方向上部に設置し、圧力チャンバー室３からアダプタ１０４に流入する部分（排気用の穴）を分割させる風路仕切９を設置した構成となっている。
【００５２】
以上のように構成されたレンジフードの動作について説明する。
【００５３】
吸込口１より吸込まれた空気はファンモータ１０２によって全圧昇圧され、動圧が大きい状態で吹出部２から開口部５を介し圧力チャンバー室３へ流入する。圧力チャンバー室３内において、ファン１０の側板１０の傾斜と同角度とした仕切板４により、外郭１０３の高さ寸法を同一としながらも圧力チャンバー室３のアダプタ１０４に流入する付近の断面積が大きくとれることにより通過風速が更に遅くなり、動圧成分が静圧成分へと変換することにより、動圧ロスが低減、整流させることができ、且つ、外郭１０３の高さ寸法を同一としながらも吸込口１の捕集空間を増大させることができる。
【００５４】
上記構成により、ファンモータ１０２をファン１０の側板１０の傾斜と同角度にすることにより、図１１に示すとおり圧力チャンバー室３内の内部圧力損失を低下させ、風量―静圧特性の向上と、風量に対する騒音を低下させることができ、且つ、図１２に示すとおり吸込口１の捕集空間を増大により整流板付と同等の捕集効率を確保しながらも、清掃面積を小さくするレンジフードを提供することができる。
【００５５】
なお、（ｂ）〜（ｄ）の角度を（ａ）と同角度としたが、（ａ）の角度の±３０％の範囲であれば、性能・特性に差異はない。
【００５６】
（実施の形態４）
図１３および図１４に示すように、本体１０１は、複数の送風手段であるファンモータ１０２と外郭１０３とアダプタ１０４と、複数のファンモータ１０２によって空気を吸込む複数の吸込口１と、ファンモータ１０２で昇圧した空気を吐出する吹出部２と、複数のファンモータ１０２で昇圧した空気の内、動圧成分を静圧成分に変換する圧力チャンバー室３を設け、圧力チャンバー室３は、外郭１０３内部の仕切板４によって複数のファンモータ１０２と仕切られ、吹出部２と圧力チャンバー室３とを連通する開口部５を配設し、且つ、複数のファンモータ１０２上部の仕切板４を介し圧力チャンバー室３をファンモータ１０２の軸方向上部に設置した構成となっている。
【００５７】
外郭１０３は、主として亜鉛鋼板などの板金製で構成され、天面には、排気用の穴と排気ダクトを取り付けるためのアダプタ１０４を螺子等で固定し、下面には、ファンモータ１０２によって空気を吸込む複数の吸込口１の穴があいている。複数のファンモータ１０２は主として亜鉛鋼板などの板金製で構成された取付台６に螺子等で固定され、取付台６は螺子または溶接等で外郭１０３の内側に固定されている。仕切板４は、主として亜鉛鋼板などの板金製で構成され、取付台６と外郭１０３の内側に螺子または溶接等で固定されている。
【００５８】
以上のように構成されたレンジフードの動作について説明する。
【００５９】
複数のファンモータ１０２が動作すると吸込口１の全圧が下がり、吸込口１より空気が吸込まれる。吸込まれた空気はファンモータ１０２によって全圧昇圧され、動圧が大きい状態で吹出部２から開口部５を介し圧力チャンバー室３へ流入する。圧力チャンバー室３内において、開口部５より断面積が大きいため通過風速が遅くなり、動圧成分が静圧成分へと変換することにより動圧ロスが低減、整流させることができ、且つ、外郭１０３の高さ寸法を同一としながらも吸込口１の捕集空間を増大させることができる。
【００６０】
上記構成において、ファンモータ１０２の軸方向上部に設置した圧力チャンバー室３は、静圧回復と整流させて吐出口から排気させることにより、内部圧力損失を低下させ、風量―静圧特性が向上と、風量に対する騒音を低下させるでき、且つ、吸込口１の捕集空間を増大により整流板付と同等の捕集効率を確保しながらも、清掃面積を小さくするレンジフードを提供することができる。
【００６１】
（実施の形態５）
図１５および図１６に示すように、本体１０１は、送風手段であるファンモータ１０２と外郭１０３とアダプタ１０４と、ファンモータ１０２によって空気を吸込む吸込口１と、ファンモータ１０２で昇圧した空気を吐出する吹出部２と、ファンモータ１０２で昇圧した空気の内、動圧成分を静圧成分に変換する圧力チャンバー室３を設け、圧力チャンバー室３は、外郭１０３内部の仕切板４によってファンモータ１０２と仕切られ、吹出部２と圧力チャンバー室３とを連通する開口部５を配設し、且つ、ファンモータ１０２上部の仕切板４を介し圧力チャンバー室３をファンモータ１０２の軸方向上部に設置し、圧力チャンバー室３内に開口している循環入口部１１より循環風路１２を介し吸込口１近傍に循環出口１３を開口した構成となっている。
【００６２】
外郭１０３は、主として亜鉛鋼板などの板金製で構成され、天面には、排気用の穴と排気ダクトを取り付けるためのアダプタ１０４を螺子等で固定し、下面には、ファンモータ１０２によって空気を吸込む吸込口１の穴があいている。
【００６３】
以上のように構成されたレンジフードの動作について説明する。
【００６４】
ファンモータ１０２が動作すると吸込口１の全圧が下がり、吸込口１より空気が吸込まれる。吸込まれた空気はファンモータ１０２によって全圧昇圧され、動圧が大きい状態で吹出部２から開口部５を介し圧力チャンバー室３へ流入する。圧力チャンバー室３内において、大部分の空気は動圧ロスを低減、且つ、整流されてアダプタ１０４より排気され、一部の空気を循環入口部１１より循環風路１２を通り循環出口部１３より再度吸込口１へ流入されることにより、吸込口１付近の空気が誘引される。
【００６５】
また、図１７において、循環出口部から吹き出す空気の方向ベクトルが遠心ファン８の回転方向と同方向に吹き出すことにより吸込口１付近の空気が更に誘引され易くなる。
【００６６】
上記構成において、吸込口１近傍に開口した循環出口部１３からの空気の吐出により、吸込口１付近の空気が誘引され、この誘引効果を高めることで捕集効率をあげるレンジフードを提供することができる。
【産業上の利用可能性】
【００６７】
本発明にかかるレンジフードは、風量―静圧特性の向上および風量に対する騒音を低下させる、また、整流板レスの状態でも捕集効率を確保しながら清掃面積を小さくする、また、圧力チャンバー室から吸込口への循環空気による誘引により捕集効率をあげることができ、調理時に発生する廃ガス、油煙、臭気などを確実に屋外へ排出する吊戸棚の下方に取付け可能なレンジフードとして有用である。
【図面の簡単な説明】
【００６８】
【図１】本発明の実施の形態１の平面図
【図２】同図１のＡ−Ａ’断面図
【図３】同図１のＢ−Ｂ’断面図
【図４】同ケーシング付の平面図
【図５】本発明の実施の形態２の平面図
【図６】同図５のＣ−Ｃ’断面図
【図７】同複数箇所の風路仕切のある平面図
【図８】同図７のＤ−Ｄ’断面図
【図９】本発明の実施の形態３の平面図
【図１０】同図９のＥ−Ｅ’断面図
【図１１】同ファンの傾斜角と内部圧力損失の関係図
【図１２】同ファンの傾斜角と捕集効率の関係図
【図１３】本発明の実施の形態４の平面図
【図１４】同図１３のＦ−Ｆ’断面図
【図１５】本発明の実施例５の平面図
【図１６】同図１５のＧ−Ｇ’断面図
【図１７】同図１６のＨ矢視図
【図１８】従来のレンジフードの側面断面図
【符号の説明】
【００６９】
１  吸込部
２  吹出部
３  圧力チャンバー室
４  仕切板
５  開口部
６  取付台
７  ケーシング
８  遠心ファン
９  風路仕切
１０  側板
１１  循環入口部
１２  循環風路
１３  循環出口部
１０１  本体
１０２  ファンモータ
１０３  外郭
１０４  アダプタ
１０５  整流板
１０６  傾斜面
１０７  側面板
１０８  水平部
１０９  傾斜部
１１０  吸気口
１１１  吸気流路
【図１】
2005090788.tif 000003
【図２】
2005090788.tif 000004
【図３】
2005090788.tif 000005
【図４】
2005090788.tif 000006
【図５】
2005090788.tif 000007
【図６】
2005090788.tif 000008
【図７】
2005090788.tif 000009
【図８】
2005090788.tif 000010
【図９】
2005090788.tif 000011
【図１０】
2005090788.tif 000012
【図１１】
2005090788.tif 000013
【図１２】
2005090788.tif 000014
【図１３】
2005090788.tif 000015
【図１４】
2005090788.tif 000016
【図１５】
2005090788.tif 000017
【図１６】
2005090788.tif 000018
【図１７】
2005090788.tif 000019
【図１８】
2005090788.tif 000020